(57)【要約】【課題】照明と共に避難路等への音声誘導を行う。【解決手段】駆動周波数設定部１１は、照明制御装置が非常検知器から非常検知信号を受けると、例えば、非常口の方向を音声で誘導するための音声誘導信号を入力し、この音声誘導信号によって点灯回路１４の駆動周波数を変調する。これにより、蛍光ランプ２６からの光には音声誘導信号が変調信号として乗っている。携帯受信端末を所持した人は、受信部を点灯している照明器具の方向に向ける。受信部で蛍光ランプからの光を受光し、乗っている音声誘導信号を復調して取出し、出力装置３２、例えばイヤホーンを使用して聞く。こうして音声による誘導を受ける。【選択図】  図３
2004206385.tif 000002
【特許請求の範囲】
【請求項１】
室内を光源で照明する複数の照明器具と、この各照明器具を点灯制御する照明制御装置と、前記光源から出力される可視光を搬送波として使用し、この搬送波を音声誘導信号で変調する変調手段と、前記光源からの可視光を受光し変調信号を復調して音声誘導信号を取出し、スピーカを介して音声誘導する携帯受信端末とを備えたことを特徴とする照明システム。
【請求項２】
照明制御装置は、音声誘導に合わせて各照明器具の光源を誘導点灯させることを特徴とする請求項１記載の照明システム。
【請求項３】
変調手段は、各種の音声誘導信号を多重化して可視光の搬送波を変調し、携帯受信端末は、音声誘導信号を選択的に取出し、スピーカを介して音声誘導することを特徴とする請求項１記載の照明システム。
【請求項４】
各照明器具は、可視光波長が異なる複数の光源を設け、この各光源から出力される可視光を搬送波として使用し、この各搬送波をそれぞれ異なる音声誘導信号で変調し、携帯受信端末は、前記各光源からの可視光を選択的に受光し変調信号を復調して音声誘導信号を取出し、スピーカを介して音声誘導することを特徴とする請求項１記載の照明システム。
【発明の詳細な説明】
【０００１】
【発明の属する技術分野】本発明は、例えば、非常発生時に音声誘導が可能な照明システムに関する。
【０００２】
【従来の技術】ＬＥＤ照明装置から発光する光を使用し、この光に発信器からの周波数信号をＦＳＫ変調して載せ、これを受信装置で受信することで端末に情報を送るものがある（例えば、特許文献１参照）。
【０００３】
【特許文献１】特開２００２−１９０７７６号公報（段落「００１１」等）
【０００４】
【発明が解決しようとする課題】しかしながら、このような照明装置は、照明とデータ通信の両方ができるという効果はあるが、避難路の誘導や特定の場所への誘導などはで着なかった。
【０００５】
そこで、本発明は、照明と共に避難路等への音声誘導ができる照明システムを提供する。
【０００６】
また、本発明は、さらに、照明によっても誘導ができる照明システムを提供する。
【０００７】
【課題を解決するための手段】本発明は、室内を光源で照明する複数の照明器具と、この各照明器具を点灯制御する照明制御装置と、光源から出力される可視光を搬送波として使用し、この搬送波を音声誘導信号で変調する変調手段と、光源からの可視光を受光し変調信号を復調して音声誘導信号を取出し、スピーカを介して音声誘導する携帯受信端末とを備えたものにある。
【０００８】
また、本発明は、さらに、音声誘導に合わせて各照明器具の光源を誘導点灯させるものにある。
また、本発明は、さらに、変調手段が各種の音声誘導信号を多重化して可視光の搬送波を変調し、携帯受信端末が音声誘導信号を選択的に取出し、スピーカを介して音声誘導することにある。
また、本発明は、さらに、各照明器具に可視光波長が異なる複数の光源を設け、この各光源から出力される可視光を搬送波として使用し、この各搬送波をそれぞれ異なる音声誘導信号で変調し、携帯受信端末は、各光源からの可視光を選択的に受光し変調信号を復調して音声誘導信号を取出しスピーカを介して音声誘導することにある。
【０００９】
【発明の実施の形態】以下、本発明の実施の形態を、図面を参照して説明する。
（第１の実施の形態）  図１に示すように、照明制御装置１に複数の照明器具２を、ケーブル３を介して接続している。また、煙検知器や非常電話などの非常検知器４を設け、この非常検知器４を前記照明制御装置１に接続している。図２は室内天井における照明器具２の配置状態を示している。
【００１０】
図３は照明制御装置１と照明器具２との関係を具体的に示す図で、駆動周波数設定部１１は照明制御装置１に組み込まれており、インターフェース１２、駆動回路１３及び点灯回路１４は照明器具２に組み込まれている。
前記点灯回路１４は、交流を整流、平滑して得られる直流電源２１に、１対のＭＯＳＦＥＴ２２，２３の直列回路を接続し、この各ＭＯＳＦＥＴ２２，２３を前記駆動回路１３によって交互に高周波スイッチング動作するようになっている。
【００１１】
一方のＭＯＳＦＥＴ２３に、コンデンサ２４及びインダクタ２５を直列に介して光源として蛍光ランプ２６を接続し、この蛍光ランプ２６のフィラメント電極間に予熱用コンデンサ２７を接続している。
前記駆動周波数設定部１１は、前記照明制御装置１が非常検知器４から非常検知信号を受けると、例えば、非常口の方向を音声で誘導するための音声誘導信号を入力し、この音声誘導信号によって前記点灯回路１４の駆動周波数を変調するようになっている。
【００１２】
従って、駆動回路１３は各ＭＯＳＦＥＴ２２，２３を交互にスイッチング動作するが、その動作には変調が掛けられているため、蛍光ランプ２６からの光には音声誘導信号が変調信号として乗っている。
【００１３】
図４は携帯受信端末を示し、この携帯受信端末は室内にいる人が持つことになる。前記携帯受信端末は、受信装置３１と例えばイヤホーンなどの出力装置３２とからなる。前記受信装置３１は、蛍光ランプ２７からの光を広角度で受光する受信部３３、この受信部３３が受信した信号を復調する復調部３４及びこの復調部３４で復調した音声誘導信号を前記出力装置３２に出力する出力部３５とで構成されている。
【００１４】
前記照明制御装置１は、非常検知器４から非常検知信号を受けると、例えば、図２に斜線で示すように非常出口へ案内するように一部の照明器具２のみを点灯駆動し、他の照明器具２については駆動を停止するようになっている。
【００１５】
このような構成においては、照明制御装置１は、通常は、室内の全ての照明器具２を点灯駆動するように制御するか、あるいは決められたパターンに従った照明器具２を点灯駆動する。この状態で、室内に異常が発生するか、あるいは他から異常発生が伝えられると、照明制御装置１は、非常出口へ案内するように一部の照明器具２のみを点灯駆動する。また、照明制御装置１は、音声誘導信号を変調によって照明光に乗せて放出する。
【００１６】
室内にいる人は、照明器具２の点灯による案内に従って非常出口へ案内されるが、目の不自由な人にとっては照明器具２の点灯による案内は役にたたない。目の不自由な人は携帯受信端末を所持し、出力装置３２がイヤホーンであればそのイヤホーンを耳に差し込むことになる。携帯受信端末の受信部３３を手で確認して天井方向に向けることになる。照明器具２の方向に受信部３３が正しく向いていればイヤホーンから例えば、「非常出口はこちらです」という音声が大きく聞こえる。もし、照明器具２の方向から外れていれば音声が小さく聞こえるか、聞こえないので、この場合は、音声が大きく聞こえる方向を探し出すことになる。
【００１７】
このようにして、目の不自由な人は携帯受信端末を所持しつつ音声が大きく聞こえる方向を探りながら移動することで非常出口へ案内される。途中、もし、音声が小さくなるか聞こえなくなる状態が発生した時には、誘導方向から外れているので、この場合は音声が大きく聞こえる方向を探し出す作業を行うことになる。
【００１８】
このように、各照明器具２は照明と共に非常出口へ案内する音声誘導として使用することができる。また、各照明器具２が非常出口へ案内するように一部を点灯駆動するので、音声誘導とも相俟ってより確実な誘導ができる。
【００１９】
なお、ここでは音声誘導の例として、非常出口へ案内する音声誘導について述べたがこれに限定するものではなく、例えば、会議室への案内やトイレへの案内等にも利用できるものである。また、非常出口への案内、会議室への案内、トイレへの案内のように複数種の音声誘導をそれぞれ異なる周波数で行い、この各音声誘導を携帯受信端末でスイッチ切替えを行って選択的に受信することもできる。この場合、携帯受信端末のスイッチ切替部に点字を付しておけば目の不自由な人にとっても容易にスイッチ切替えを行うことができる。
【００２０】
また、発信のための点字付きのスイッチを別途設け、このスイッチで、例えば、トイレという位置を指定することでトイレ案内を促す信号を発信し、これを照明制御装置で受信してトイレを案内する音声誘導信号を照明器具２から送信させるということもできる。
また、光源として蛍光ランプを使用したがこれに限定するものではなく、他の放電ランプや白色発光ダイオードを使用してもよい。
【００２１】
（第２の実施の形態）  この実施の形態は、照明器具に発光ダイオードを設けたものについて述べる。なお、発光ダイオードは照明用として使用するものでも、また、照明用は蛍光ランプで、発光ダイオードは通信用として使用するものでもよい。
【００２２】
図５に示すように、直流電流源４１にスイッチ４２を介して第１の発光ダイオード４３を接続し、また、直流電流源４４にスイッチ４５を介して第２の発光ダイオード４６を接続している。前記各発光ダイオード４３，４６は、図６に示すように特定の波長にエネルギー分布が集中した特性を持ち、それぞれ特定波長が異なっている。すなわち、前記各発光ダイオード４３，４６は異なる色の発光を行うものである。
【００２３】
音声誘導信号Ａをベースバンド信号作成部４７に入力し、このベースバンド信号作成部４７で音声誘導信号Ａに対応したベースバンド信号Ａを作成し多重化手段４８に供給している。また、音声誘導信号Ｂをベースバンド信号作成部４９に入力し、このベースバンド信号作成部４９で音声誘導信号Ｂに対応したベースバンド信号Ｂを作成し前記多重化手段４８に供給している。
【００２４】
前記多重化手段４８は各ベースバンド信号を、例えば、図７に示すように、時分割多重方式で多重化し、一方のベースバンド信号Ａで前記スイッチ４２をオン、オフ駆動し、他方のベースバンド信号Ｂで前記スイッチ４５をオン、オフ駆動するようになっている。
【００２５】
一方、携帯受信端末は、第１、第２の２つのセンサ５１，５２を備え、第１のセンサ５１は、第１の発光ダイオード４３の発光波長に対応する感度特性を有し、第１の発光ダイオード４３からの光を受光し、その受光信号を多重化復号手段５３に供給し、第２のセンサ５２は、第２の発光ダイオード４６の発光波長に対応する感度特性を有し、第２の発光ダイオード４６からの光を受光し、その受光信号を前記多重化復号手段５３に供給するようになっている。
【００２６】
前記多重化復号手段５３は、各センサ５１，５２からの受光信号から、音声誘導信号Ａ及び音声誘導信号Ｂを復号化して取出し、出力部５４に供給している。前記出力部５４は受信した音声誘導信号Ａあるいは音声誘導信号Ｂを出力装置５５に出力するようになっている。
【００２７】
このような構成においては、音声誘導信号Ａを例えば非常時の非常出口への案内の音声誘導信号とし、音声誘導信号Ｂを例えば会議室への案内の音声誘導信号とすれば、携帯受信端末を所持している人は、２種類の音声誘導を受けることができる。すなわち、非常出口への案内の音声誘導信号Ａを受信するときには第１のセンサ５１を第１の発光ダイオード４３の発光方向に向ければ良く、また、会議室への案内の音声誘導信号Ｂを受信するときには第２のセンサ５２を第２の発光ダイオード４６の発光方向に向ければ良い。
【００２８】
このように、１台の携帯受信端末によって複数種の音声誘導を受けることができ、汎用性を高めることができる。しかも、第１、第２の発光ダイオード４３，４６は発光色が異なっているので、事前に発光色と音声誘導の内容との関係を把握していれば、携帯受信端末を所持している人は、要求する誘導内容によって第１のセンサ５１を第１の発光ダイオード４３に向けるか、第２のセンサ５２を第２の発光ダイオード４６に向けるかを容易に判断することができる。
【００２９】
（第３の実施の形態）  第２の実施の形態は、音声誘導信号を多重化する場合について述べたが、必ずしも多重化する必要はない。
すなわち、図８に示すように、各種の音声誘導信号をベースバンド信号作成部６１に入力し、このベースバンド信号作成部６１で音声誘導信号に対応したベースバンド信号を作成してから信号種類判別部６２に供給している。ベースバンド信号を作成する段階で信号の種類を表わすコードを挿入する。
【００３０】
前記信号種類判別部６２はベースバンド信号作成部６１からのベースバンド信号を受けて信号の種類を判別し、選択部変調部６３において、信号の種類に応じて搬送波の周波数を選択し、ベースバンド信号により変調する。そして、選択した搬送波の種類によって３つの点灯回路６４，６５，６６から１つを選択して駆動する。
【００３１】
前記各点灯回路６４，６５，６６は、それぞれ第１、第２、第３の光源６７，６８，６９を点灯動作する。前記各光源６７，６８，６９としては発光ダイオードでも蛍光ランプ等の放電ランプでも良いが、ここでは発光ダイオードを使用する。各発光ダイオードは特定の波長にエネルギー分布が集中したものを使用し、それぞれの発光色は異なっている。
【００３２】
一方、携帯受信端末は、第１、第２、第３の３つのセンサ７１，７２，７３を備え、第１のセンサ７１は、第１の光源６７の発光波長に対応する感度特性を有し、第１の光源７１からの光を受光し、その受光信号を判別部復号部７４に供給し、第２のセンサ７２は、第２の光源６８の発光波長に対応する感度特性を有し、第２の光源６８からの光を受光し、その受光信号を前記判別部復号部７４に供給し、第３のセンサ７３は、第３の光源６９の発光波長に対応する感度特性を有し、第３の光源６９からの光を受光し、その受光信号を前記判別部復号部７４に供給するようになっている。
【００３３】
前記判別部復号部７４は、各センサ７１，７２，７３からの受光信号によって信号の種類を判別し、信号の種類に応じた復号化を行い、その結果得られた音声誘導信号を出力部７５に供給する。出力部７５は復調した音声誘導信号を出力装置７６に出力する。従って、携帯受信端末を所持している人はイヤホーン等によって音声を聞くことができる。
【００３４】
このような構成においては、非常時の非常出口への案内の音声誘導信号や会議室への案内の音声誘導信号やトイレへの案内の音声誘導信号等、各種の音声誘導信号をベースバンド信号作成部６１に入力すると、音声誘導信号に対応したベースバンド信号が作成され、続いて信号種類判別部６２で信号の種類が判別される。
【００３５】
そして、信号の種類に応じて搬送波の点灯周波数を選択し、ベースバンド信号により変調され、選択した搬送波の種類によって１つの点灯回路が選択される。例えば、非常出口への案内の音声誘導信号であれば点灯回路６４が選択され、会議室への案内の音声誘導信号であれば点灯回路６５が選択され、トイレへの案内の音声誘導信号であれば点灯回路６６が選択される。
【００３６】
こうして、点灯回路６４は、光源７１を点灯し、光源７１からの光に非常出口への案内の音声誘導信号を乗せる。点灯回路６５は、光源７２を点灯し、光源７２からの光に会議室への案内の音声誘導信号を乗せる。点灯回路６６は、光源７３を点灯し、光源７３からの光にトイレへの案内の音声誘導信号を乗せる。
【００３７】
従って、携帯受信端末を所持している人は、第１のセンサ７１を第１の光源６７に向けることで出力装置７６、すなわち、イヤホーンから非常出口への案内を聞くことができ、また、第２のセンサ７２を第２の光源６８に向けることでイヤホーンから会議室への案内を聞くことができ、また、第３のセンサ７３を第３の光源６９に向けることでイヤホーンからトイレへの案内を聞くことができる。
【００３８】
このように１台の携帯受信端末によって３種類の音声誘導に対処することができ、汎用性をさらに向上できる。しかも、各光源６７，６８，６９は発光色が異なっているので、事前に発光色と音声誘導の内容との関係を把握していれば、携帯受信端末を所持している人は、要求する誘導内容によって第１のセンサ７１を第１の光源６７に向けるか、第２のセンサ７２を第２の光源６８に向けるか、第３のセンサ７３を第３の光源６９に向けるかを容易に判断することができる。
【００３９】
【発明の効果】以上、本発明によれば、照明と共に避難路等への音声誘導ができる照明システムを提供できる。
【００４０】
また、本発明によれば、さらに、照明によっても誘導ができ、より確実な誘導ができる照明システムを提供できる。
【００４１】
また、本発明によれば、さらに、複数種の音声誘導が可能になり、汎用性を向上できる照明システムを提供できる。
【図面の簡単な説明】
【図１】本発明の第１の実施の形態を示すシステムのブロック図。
【図２】同実施の形態における照明器具の配置及び誘導点灯例を示す図。
【図３】同実施の形態における照明器具の点灯回路の制御例を示すブロック図。
【図４】同実施の形態における携帯受信端末の構成を示すブロック図。
【図５】本発明の第２の実施の形態における要部構成を示すブロック図。
【図６】同実施の形態における発光ダイオードのエネルギー分布特性を示す図。
【図７】同実施の形態において使用する時分割多重方式の例を示す波形図。
【図８】本発明の第３の実施の形態における要部構成を示すブロック図。
【符号の説明】１…照明制御装置、２…照明器具、１１…駆動周波数設定部、２６…蛍光ランプ、３１…受信装置、３２…出力装置。
【図１】
2004206385.tif 000003
【図２】
2004206385.tif 000004
【図３】
2004206385.tif 000005
【図４】
2004206385.tif 000006
【図５】
2004206385.tif 000007
【図６】
2004206385.tif 000008
【図７】
2004206385.tif 000009
【図８】
2004206385.tif 000010